(57)【要約】【課題】利用者の血流量を容易に測定する血流量測定装置を提供する。【解決手段】第１本体部と、第２本体部と、ヒンジとを備え、前記第１本体部は、第１底面を含む第１筐体と前記第１底面から前記第１筐体外へ近赤外線を照射する光源と前記第１筐体外の第１底面側から前記近赤外線を受光する第１受光部を有し、前記第２本体部は、第２底面を含む第２筐体と前記第２筐体外の第２底面側から前記近赤外線を受光する第２受光部を有し、前記ヒンジは、前記第１底面と前記第２底面とのなす角を可変にして前記第１本体部と前記第２本体部とを結合する、血流量測定装置とする。【選択図】図１１
2020054649.tif 000002
【特許請求の範囲】
【請求項１】
第１本体部と、第２本体部と、ヒンジとを備え、
前記第１本体部は、第１底面を含む第１筐体と前記第１底面から前記第１筐体外へ近赤外線を照射する光源と前記第１筐体外の第１底面側から前記近赤外線を受光する第１受光部を有し、
前記第２本体部は、第２底面を含む第２筐体と前記第２筐体外の第２底面側から前記近赤外線を受光する第２受光部を有し、
前記ヒンジは、前記第１底面と前記第２底面とのなす角を可変にして前記第１本体部と前記第２本体部とを結合する、
血流量測定装置。
【請求項２】
前記光源と前記第１受光部との間の中間の位置と前記第２受光部との中間の位置が、前記第１本体部と前記第２本体部とが前記ヒンジによって結合される箇所の近傍に位置する、
請求項１に記載の血流量測定装置。
【請求項３】
前記第１筐体は、前記第１底面に接続し、互いに対向する第１右側面及び第１左側面を有し、
前記第１筐体は、前記第１底面に接続し、互いに対向する第２右側面及び第２左側面を有し、
前記第１右側面及び前記第１左側面は、それぞれ、第１孔部及び第２孔部を有し、
前記第２右側面及び前記第２左側面は、それぞれ、第３孔部及び第４孔部を有し、
前記第１孔部と前記第２孔部との中間の位置が、前記光源と前記第１受光部との間の中間の位置の近傍に位置し、
前記第３孔部と前記第４孔部との中間の位置が、前記第２受光部の位置の近傍に位置し、
前記第１孔部と前記第３孔部との中間の位置が、前記ヒンジの位置の近傍に位置し、
前記第２孔部と前記第４孔部との中間の位置が、前記ヒンジの位置の近傍に位置する、請求項２に記載の血流量測定装置。
【請求項４】
前記第１筐体内で前記第１底面に固定される基板を含み、
前記基板は、前記第１本体部から前記第２本体部に突出する、
請求項１から３のいずれか１項に記載の血流量測定装置。
【発明の詳細な説明】
【技術分野】
【０００１】
本発明は、血流量測定装置に関する。
【背景技術】
【０００２】
日本の高齢化に伴い、今後、高齢者の医療費増大が予想されている。医療費を含む社会コストの増大を防ぐためには、健常者に未病対策を講じることが求められる。特に、脳の健康維持のためには、日頃から脳のトレーニングが求められる。
【０００３】
従来から、ヘッドセットと呼ばれる脳血流量測定装置に、近赤外線照射部と近赤外線検出部を設け、脳表面の血流量の変化を検出し、検出されたデータをデータ処理装置で処理することで、脳の活動状態を示す情報を取得する計測システムが提供されている。当該計測システムを利用して、利用者（被験者）が様々な行動を行う際の脳活動状態を計測することが行われている。
【先行技術文献】
【特許文献】
【０００４】
【特許文献１】特開２０００−１６６８８４号公報
【特許文献２】特開２０１１−２４４９３８号公報
【特許文献３】特開２０１７−６３８９３号公報
【特許文献４】特開２０１７−１８９５０８号公報
【特許文献５】特開２００５−１３０９６９号公報
【発明の概要】
【発明が解決しようとする課題】
【０００５】
高齢者が、健康維持のため、自宅において、脳血流量を測定しながら脳トレーニングを行うことが理想的である。しかし、高齢者の自宅で脳血流量を測定することは、脳血流量測定装置の大きさなどにより、非現実的である。
【０００６】
本発明は、利用者の血流量を容易に測定する血流量測定装置を提供することを目的とする。
【課題を解決するための手段】
【０００７】
上記課題を解決するために、以下の手段を採用する。
即ち、第１の態様は、
第１本体部と、第２本体部と、ヒンジとを備え、
前記第１本体部は、第１底面を含む第１筐体と前記第１底面から前記第１筐体外へ近赤外線を照射する光源と前記第１筐体外の第１底面側から前記近赤外線を受光する第１受光部を有し、
前記第２本体部は、第２底面を含む第２筐体と前記第２筐体外の第２底面側から前記近赤外線を受光する第２受光部を有し、
前記ヒンジは、前記第１底面と前記第２底面とのなす角を可変にして前記第１本体部と前記第２本体部とを結合する、
血流量測定装置である。
【０００８】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュー
タ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【０００９】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【発明の効果】
【００１０】
本発明によれば、利用者の血流量を容易に測定する血流量測定装置を提供することができる。
【図面の簡単な説明】
【００１１】
【図１】図１は、血流量測定装置１０の機能構成例を示す図である。
【図２】図２は、血流量測定装置１０を上方から見た外観を例示する斜視図である。
【図３】図３は、血流量測定装置１０を下方から見た外観を例示する斜視図である。
【図４】図４は、血流量測定装置１０を上方から見た外観を例示する平面図である。
【図５】図５は、血流量測定装置１０を下方から見た外観を例示する平面図である。
【図６】図６は、血流量測定装置１０を正面から見た外観を例示する平面図である。
【図７】図７は、血流量測定装置１０の内部の構造例を示す斜視図である。
【図８】図８は、血流量測定装置１０の第１筐体１１０、ヒンジ１３０を上方から見た斜視図である。
【図９】図９は、血流量測定装置１０の第１本体部１０１が第２本体部１０２に対して回動した例を示す平面図である。
【図１０】図１０は、血流量測定装置１０を身体に密着させる前の例を示す図である。
【図１１】図１１は、血流量測定装置１０を身体に密着させた後の例を示す図である。
【図１２】図１２は、バンドホルダー２００の情報から見た斜視図を示す図である。
【図１３】図１３は、バンドホルダー２００の各爪部を血流量測定装置１０の各孔部に嵌めた場合の上面図、正面図、側面図の例を示す図である。
【図１４】図１４は、バンドホルダー２００にバンド３００を取り付けた場合の上面図、正面図の例を示す図である。
【図１５】図１５は、ハンディホルダー４００の上方から見た斜視図を示す図である。
【発明を実施するための形態】
【００１２】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１３】
〔実施形態〕
（機能構成例）
図１は、血流量測定装置１０の機能構成例を示す図である。血流量測定装置１０は、情報処理の側面としては、制御部１１と、無線通信部１３と、光源１４と、第１受光部１５と、第２受光部１６とを有する。制御部１１は、血流量測定装置１０の計測と通信を制御する。制御部１１は、例えば、ＣＰＵ(Central Processing Unit)、あるいはＤＳＰ（Digital Signal Processor）等のプロセッサとメモリとを有し、メモリ上に実行可能に展開
されたコンピュータプログラム、ファームウェア等により処理を実行する。ただし、制御
部１１は、無線通信部１３、光源１４、第１受光部１５、第２受光部１６を起動し、各構成要素との連携処理を実行する専用のハードウェア回路、ＦＰＧＡ（Field Programmable
Gate Array）等であってもよい。また、制御部１１は、ＣＰＵ、ＤＳＰ、専用のハード
ウェア回路等が混在したものであってもよい。血流量測定装置１０は、利用者の頭部、腕、脚などに装着され、利用者に固定される構造を有する。
【００１４】
無線通信部１３は、所定のインターフェースによって、制御部１１、光源１４、第１受光部１５、第２受光部１６と接続される。ただし、無線通信部１３は、制御部１１を介して、第１受光部１５、第２受光部１６からデータを取得する構成であってもよい。無線通信部１３は、ネットワークを介して、他の情報処理装置等と通信する。無線通信部１３は、転送手段の一例である。ただし、血流量測定装置１０において、無線通信部１３の無線インターフェースの規格に限定はない。
【００１５】
ネットワークでの通信時、通信ヘッダのヘッダ部分、あるいは、通信データ中の利用者データ部分（ペイロード部分）に、血流量測定装置１０を識別する識別子を埋め込んで、他の情報処理装置が利用者（被験者）を識別できるようにする。
【００１６】
また、血流量測定装置１０において、無線通信部１３に代えて、あるいは、無線通信部１３とともに有線で通信を行う通信部を設けてもよい。すなわち、血流量測定装置１０と他の情報処理装置とが有線通信のインターフェースで接続されてもよい。この場合の有線通信のインターフェースに限定はなく、血流量測定装置１０の用途に応じてＵＳＢ（Universal Serial Bus）、ＰＣＩ  Ｅｘｐｒｅｓｓ（登録商標）等の各種インターフェースを使用できる。
【００１７】
光源１４は、近赤外線を照射する近赤外線光源を含む。近赤外線光源は、例えば、ＬＥＤ（Light Emitting Diodes）、赤外線ランプ等である。光源１４は、近赤外線を利用者
の身体（頭部、腕、脚など）に照射する。照射された近赤外線は、脳の大脳皮質付近や腕等の血管付近で一部吸収されて散乱される。散乱された近赤外線は、第１受光部１５、第２受光部１６で受光され、電気信号に変換される。脳の大脳皮質は、例えば、脳の活動状態に応じて、血流量が異なる。その結果、大脳皮質の各部において、血液中の酸素と結合したヘモグロビンの量と、酸素と結合していないヘモグロビンの量が変化する。ヘモグロビンの量の変化、酸素量の変化等に起因して、大脳皮質付近での近赤外線の吸収特性、あるいは、散乱特性が変化する。
【００１８】
第１受光部１５、第２受光部１６は、それぞれ、近赤外線を受光する受光部を含む。受光部は、フォトダイオード、フォトトランジスタ等の光電素子と、増幅器と、ＡＤ（Analog Digital）コンバータとを含む。第１受光部１５、第２受光部１６は、大脳皮質付近等の血流の状態に応じた近赤外線吸収率の変化あるいは透過率の変化により光量が変化する近赤外線を電気信号に変換して出力する。第１受光部１５、第２受光部１６は、検出部の一例である。第１受光部１５、第２受光部１６で検出される情報により、血流変化量、脈拍数を算出することができる。脈拍数は、心拍数に相当する。光源１４から第１受光部１５までの距離と、光源１４から第２受光部１６までの距離は、異なる。距離が異なることで、身体の表面から異なる深さの血流の情報を得ることができる。
【００１９】
（構造例）
図２から図９は、血流量測定装置１０の構造例を示す図である。図２は、血流量測定装置１０を上方から見た外観を例示する斜視図である。図３は、血流量測定装置１０を下方から見た外観を例示する斜視図である。図４は、血流量測定装置１０を上方から見た外観を例示する平面図である。図５は、血流量測定装置１０を下方から見た外観を例示する平面図である。図６は、血流量測定装置１０を正面から見た外観を例示する平面図である。
図７は、血流量測定装置１０の内部の構造例を示す斜視図である。図８は、血流量測定装置１０の第１筐体１１０、ヒンジ１３０を上方から見た斜視図である。図９は、血流量測定装置１０の第１本体部１０１が第２本体部１０２に対して回動した例を示す平面図である。
【００２０】
血流量測定装置１０は、図２等のように、第１本体部１０１、第２本体部１０２、ヒンジ１３０、基板１４０、電池１５０、カバー部１６０を含む。第１本体部１０１は、第１筐体１１０、光源１４、第１受光部１５を含む。第２本体部１０２は、第２筐体１２０、第２受光部１６を含む。筐体は、ハウジングともいう。
【００２１】
図８等のように、第１筐体１１０は、第１上面２０と、第１底面３０と、第１上面２０と、右側面４１と、上側面４２と、左側面４３とを有する。右側面４１と、左側面４３とは、互いに対向する。図４のように上方（第１上面２０側）から見た平面図（上面図）において、第２筐体１２０に対して第１筐体１１０を上にして見た場合の、第１上面２０の長方形の下側の辺を下辺２１、右側の辺を右辺２２、上側の辺を上辺２３、左側の辺を左辺２４とする。また、同様に、図８等のように、上方から見た場合の第１底面３０の長方形の下側の辺を下辺３１、右側の辺を右辺３２、上側の辺を上辺３３、左側の辺を左辺３４とする。第１上面２０の下辺２１及び第１底面３０の下辺３１は、第２筐体１２０側の辺である。第１筐体１１０の右側面４１は、第１底面３０の右辺３２から第１底面３０に対してほぼ直角に立ち上がり第１上面２０の右辺２２に接続する。右側面４１の第２筐体１２０側の辺を左辺５１とする。第１筐体１１０の上側面４２は、第１底面３０の上辺３３から第１底面３０に対してほぼ直角に立ち上がり第１上面２０の上辺２３に接続する。第１筐体１１０の左側面４３は、第１底面３０の左辺３４から第１底面３０に対してほぼ直角に立ち上がり第１上面２０の左辺２４に接続する。左側面４３の第２筐体１２０側の辺を右辺５２とする。第１筐体１１０の右側面４１、上側面４２、左側面４３は、平面、湾曲した面、折れ曲がった面等であってもよい。第１底面３０の下辺３１と、右側面４１の左辺５１と、第１上面２０の下辺２１と、左側面４３の右辺５２とで、第１筐体１１０の開口部を形成する。右側面４１、左側面４３は、それぞれ、第１右側面、第１左側面の例である。
【００２２】
なお、本実施の形態では、図５で紙面から見える側、すなわち、図２から図８の仮想的な座標系でＺ軸方向に向かう面を第１底面３０および第２底面３５とした。この第１底面３０および第２底面３５は、それぞれ血流量測定の対象となる人体に接触する面ということができる。
【００２３】
第２筐体１２０は、第１筐体１１０と同様に、第２上面２５と、第２底面３５と、右側面４４と、下側面４５と、左側面４６とを有する。右側面４４と、左側面４６とは、互いに対向する。図４のように上方（第２上面２５側）から見た平面図（上面図）において、第２筐体１２０に対して第１筐体１１０を上にして見た場合の、第２上面２５の長方形の上側の辺を上辺２６、右側の辺を右辺２７、下側の辺を下辺２８、左側の辺を左辺２９とする。また、同様に、上方から見た場合の第２底面３５の長方形の上側の辺を上辺３６、右側の辺を右辺３７、下側の辺を下辺３８、左側の辺を左辺３９とする。第２上面２５の上辺２６及び第２底面３５の上辺３６は、第１筐体１１０側の辺である。第２筐体１２０の右側面４４は、第２底面３５の右辺３７からほぼ直角に立ち上がり第２上面２５の右辺２７に接続する。右側面４４の第１筐体１１０側の辺を右辺５３とする。第２筐体１２０の下側面４５は、第２底面３５の下辺３８から第２底面３５に対してほぼ直角に立ち上がり第２上面２５の下辺２８に接続する。第２筐体１２０の左側面４６は、第２底面３５の左辺３９から第２底面３５に対してほぼ直角に立ち上がり第２上面２５の左辺２９に接続する。左側面４６の第１筐体１１０側の辺を左辺５４とする。第２筐体１２０の右側面４４、下側面４５、左側面４６は、平面、湾曲した面、折れ曲がった面等であってもよい。
第２底面３５の上辺３６と、右側面４４の右辺５３、第２上面２５の上辺２６と、左側面４６の左辺５４とで、第２筐体１２０の開口部を形成する。右側面４４、左側面４６は、それぞれ、第２右側面、第２左側面の例である。
【００２４】
第１筐体１１０及び第２筐体１２０は、例えば、プラスチックなどの樹脂製である。第１筐体１１０の第１底面３０と第２筐体１２０の第２底面３５とを合わせて、血流量測定装置１０の底面ともいう。血流量測定装置１０の底面は、利用者の身体に接触する。そのため、血流量測定装置１０の底面には、柔らかい部材（ウレタン等の樹脂、ゴム、布など）が貼られてもよい。
【００２５】
図２等のように、第２筐体１２０の第２底面３５の法線方向をＺ軸方向、Ｚ軸方向に直交し血流量測定装置１０の長手方向をＸ軸方向、Ｚ軸方向に直交し血流量測定装置１０の短手方向をＹ軸方向とする。
【００２６】
第１筐体１１０の開口部と、第２筐体１２０の開口部とは、互いに合わされて、１つの閉空間を形成する。当該閉空間には、図７のように、基板１４０、電池１５０等が設置される。各開口部を合わせる際、第１筐体１１０の第１上面２０の下辺２１と右側面４１の左辺５１と第１底面３０の下辺３１と左側面４３の右辺５２とが、それぞれ、第２筐体１２０の第２上面２５の上辺２６と右側面４４の右辺５３と第２底面３５の上辺３６と左側面４６の左辺５４と合わされる。
【００２７】
第１本体部１０１と第２本体部１０２とは、ヒンジ１３０によって結合される。ヒンジ１３０は、回転軸と、第１筐体１１０の第１底面３０に設けられる当該回転軸を支持する部材と、第２筐体１２０の第２底面３５に設けられる当該回転軸を支持する部材とを含む。ヒンジ１３０の回転軸は、Ｙ軸方向に平行に、第１筐体１１０の第１底面３０の下辺３１、第２筐体１２０の第２底面３５の上辺３６の近傍に、設けられる。ヒンジ１３０は、第１底面３０と第２底面３５とのなす角を可変にする。
【００２８】
第１本体部１０１は、図９のように、ヒンジ１３０の回転軸を軸として第２本体部１０２に対して、回動する。回動可能な角度は、例えば、０度から３０度までである。すなわち、第１本体部１０１が回動することによって、第１筐体１１０の第１底面３０と第２筐体１２０の第２底面３５とのなす角が、例えば、０度から３０度まで、変化する。当該なす角が０度の状態を、初期状態とする。第１本体部１０１が回動することにより、当該なす角が０度より大きくなった時、第１筐体１１０の第１上面２０の下辺２１と第２筐体１２０の第２上面２５の上辺２６とが離れる。また、このとき、第１筐体１１０の右側面４１の左辺５１及び左側面４３の右辺５２と第２筐体１２０の右側面４４の右辺５３及び左側面４６の左辺５４とが離れる。このときに血流量測定装置１０の内部（閉空間）が外部から見えないようにするために、図９のように、カバー部１６０が設けられる。カバー部１６０は面状であり、第２筐体１２０の開口部の第２上面２５の上辺２６、右側面４４の右辺５３、左側面４６の左辺５４から第１筐体１１０の方向に突出して設置される。カバー部１６０がない場合、血流量測定装置１０の内部が外部から見えるようになり、内部に埃などが侵入しやすくなり、血流量測定装置１０の誤作動の原因となりうる。
【００２９】
第１筐体１１０の第１底面３０には、図３、図５等のように、光源１４、第１受光部１５が設けられる。第２筐体１２０の第２底面３５には、第２受光部１６が設けられる。光源１４は、第１底面３０から第１筐体１１０外へ近赤外線を照射する。第１受光部１５は第１筐体１１０外の第１底面３０側から近赤外線を受光する。第２受光部１６は第２筐体１２０外の第２底面３５側から近赤外線を受光する。光源１４の中心と、第１受光部１５の中心と、第２受光部１６の中心とが、Ｘ軸に平行な直線上に存在するように、光源１４、第１受光部１５、第２受光部１６は、配置される。第１底面３０及び第２底面３５の境
界線は、Ｙ軸方向に平行である。第１底面３０及び第２底面３５の境界線と光源１４の中心との距離をＡ１とする。第１底面３０及び第２底面３５の境界線と第１受光部１５との距離をＡ２とする。Ａ１は、Ａ２より大きいとする。第１底面３０及び第２底面３５の境界線と第２受光部１６の中心との距離をＡ３とする。Ａ３は、光源１４の中心及び第１受光部１５の中心を結ぶ線分の中点と第１底面と第２底面との境界線との距離（（Ａ１−Ａ２）／２）と等しくなるようにする。即ち、光源１４と第１受光部１５との間の中間の位置と第２受光部１６との中間の位置が、第１筐体１１０と第２筐体１２０とがヒンジ１３０によって結合される箇所の近傍に位置する。
【００３０】
第１筐体１１０の右側面４１には、孔部１１１が設けられる。第１筐体１１０の左側面４３には、孔部１１２が設けられる。孔部１１１と孔部１１２とを結ぶ線分は、Ｙ軸に平行である。孔部１１１、孔部１１２は、１対の孔部の例である。また、第２筐体１２０の右側面４４には、孔部１２１が設けられる。第２筐体１２０の左側面４６には、孔部１２２が設けられる。孔部１２１と孔部１２２とを結ぶ線分は、Ｙ軸に平行である。孔部１２１、孔部１２２は、１対の孔部の例である。孔部１１１、孔部１１２、孔部１２１、孔部１２２は、後述するバンドホルダー２００の爪部などを挿入する孔となる。図４、図５に示すように、孔部１１１と第１底面３０及び第２底面３５の境界線とのＸ軸方向の距離は、Ａ３である。孔部１１２と第１底面３０及び第２底面３５の境界線とのＸ軸方向の距離は、Ａ３である。孔部１２１と第１底面３０及び第２底面３５の境界線とのＸ軸方向の距離は、Ａ３である。孔部１２２と第１底面３０及び第２底面３５の境界線とのＸ軸方向の距離は、Ａ３である。即ち、孔部１１１と孔部１１２との間の中間の位置が光源１４と第１受光部との間の中間の位置の近傍に位置し、孔部１２１と孔部１２２との間の中間の位置が第２受光部の近傍に位置する。また、孔部１１１と孔部１２１との中間の位置が、ヒンジ１３０の位置の近傍に位置し、孔部１１２と孔部１２２との中間の位置が、ヒンジ１３０の位置の近傍に位置する。孔部１１１、１１２、１２１、１２２は、それぞれ、第１孔部、第２孔部、第３孔部、第４孔部の例である。
【００３１】
図６等のように、第１筐体１１０において、第１上面２０と第１底面３０との距離（Ｚ軸方向の長さ）は、第１上面２０の下辺２１からからＸ軸方向に上辺２３に向かうのに従って、短くなる。第２筐体１２０においても、第２上面２５と第２底面３５との距離（Ｚ軸方向の長さ）は、第２上面２５の上辺２６からからＸ軸方向に下辺２８に向かうのに従って、短くなる。即ち、血流量測定装置１０は、中央部分からＸ軸方向に沿って端の方に行くのに従ってだんだん薄くなる。これにより、利用者は、血流量測定装置１０を身体により密着させ易くなる。
【００３２】
図７のように、血流量測定装置１０の内部には、制御部１１や無線通信部１３などとして機能する部品が載置される基板１４０、血流量測定装置１０の電力供給源となる電池１５０が、配置される。基板１４０は、第１筐体１１０に固定される。基板１４０は、第１筐体１１０からヒンジ１３０を跨って、第２筐体１２０に突出している。基板１４０は、第２筐体１２０には固定されない。図９のように、第１本体部１０１が第２本体部１０２に対して回動した場合、基板１４０の第２筐体１２０に突出した部分が第２筐体１２０内で移動するが、第２筐体１２０の内部の空間により、他の部品等に接触しない。基板１４０が第２筐体１２０に突出することで、血流量測定装置１０を大きくすることなく、より大きな基板を使用することができる。基板１４０として、第１本体部１０１の回動に伴って形状が変形するフレキシブル基板が使用されてもよい。
【００３３】
（使用例）
図１０及び図１１は、血流量測定装置１０の使用例を示す図である。図１０は、血流量測定装置１０を身体に密着させる前の例を示す図である。図１１は、血流量測定装置１０を身体に密着させた後の例を示す図である。図１０のように、利用者は、血流量測定装置
１０の第１底面３０または第２底面３５を、身体の測定対象部分（脳、腕、脚など）に密着させる。利用者は、指などで、孔部１１１と孔部１１２とを結ぶ軸（Ｙ軸に平行）を、第１上面２０から第１底面３０の法線方向に押圧し、かつ、孔部１２１と孔部１２２とを結ぶ軸（Ｙ軸に平行）を、第２上面２５から第２底面３５の法線方向に身体に向けて押圧する。すると、図１１のように、第２本体部１０２に対して第１本体部１０１が回動して、血流量測定装置１０の底面が折れ曲がる。これにより、孔部１１１と孔部１１２とを結ぶ軸の近傍に存在する光源１４、第１受光部１５、孔部１２１と孔部１２２とを結ぶ軸の近傍に存在する第２受光部１６が身体に密着する。光源１４、第１受光部１５、第２受光部１６が、身体の測定対象部分に密着することで、より正確に血流量等の測定を行うことができる。血流量測定装置１０では、第１底面３０及び第２底面３５の境界線と第２受光部１６の中心との距離Ａ３と、光源１４の中心及び第１受光部１５の中心を結ぶ線分の中点と第１底面３０と第２底面３５との境界線との距離（（Ａ１−Ａ２）／２）とを、等しくすることで、光源１４、第１受光部１５、第２受光部１６が身体に密着し易くなる。
【００３４】
（バンドホルダー）
上記の例では、血流量測定装置１０を指などで身体に密着させる例について説明したが、ここでは、バンドとバンドホルダーとによって、血流量測定装置１０を身体に密着させる例について説明する。
【００３５】
図１２は、バンドホルダー２００の上方から見た斜視図を示す図である。バンドホルダー２００は、本体部２１０、脚部２２１、２２２、２２３、２２４、爪部２３１、２３２、２３３、２３４を含む。バンドホルダー２００は、例えば、プラスチックなどの樹脂製で弾性変形する。本体部２１０は、平面状の長方形で、複数の開口部を含む。各脚部は、本体部２１０の各角から本体部２１０のＹ軸方向外側に延伸し、１箇所以上折れ曲がった後にＺ軸方向に延伸する。バンドホルダー２００は、４つの脚部より、支持される。また、各脚部の端からＹ軸方向内側に向けてそれぞれ爪部が突出する。各爪部の位置は、血流量測定装置１０の各孔部の位置に対応する。各爪部は、血流量測定装置１０の各孔部に嵌められる。
【００３６】
図１３は、バンドホルダー２００の各爪部を血流量測定装置１０の各孔部に嵌めた場合の上面図、正面図、側面図の例を示す図である。爪部２３１は孔部１１１に嵌められ、爪部２３２は孔部１１２に嵌められ、爪部２３３は孔部１２１に嵌められ、爪部２３４は孔部１２２に嵌められる。血流量測定装置１０の第１本体部１０１が第２本体部１０２に対して回動した場合でも、バンドホルダー２００が弾性変形することにより各孔部に嵌められた各爪部は、各孔部から外れることはない。
【００３７】
図１４は、バンドホルダー２００にバンド３００を取り付けた場合の上面図、正面図の例を示す図である。バンド３００は、利用者の身体に巻き付けて固定する部材である。バンド３００は、例えば、布製、ゴム製などである。バンド３００とバンドホルダー２００とにより血流量測定装置１０が利用者の身体に固定される。バンド３００は、バンドホルダー２００の本体部２１０を縫うように本体部２１０の開口部を通される。これにより、バンド３００は、バンドホルダー２００に取り付けられる。バンドホルダー２００にバンド３００を取り付けた後に、図１１のように、バンドホルダー２００に血流量測定装置１０を取り付ける。さらに、バンドホルダー２００及び血流量測定装置１０が取り付けられたバンド３００を利用者の身体に巻き付けて固定することにより、利用者の身体に血流量測定装置１０が取り付けられる。利用者は、バンド３００を身体に固定することで、バンドホルダー２００と血流量測定装置１０とを身体に押さえつける。バンドホルダー２００の各爪部は、血流量測定装置１０の各孔部に嵌められている。これにより、バンド３００によって、バンドホルダー２００が身体に押さえつけられると、図１０、図１１の例と同様に、孔部１１１と孔部１１２とを結ぶ軸が第１上面から第１底面の法線方向に押圧され
、かつ、孔部１２１と孔部１２２とを結ぶ軸が、第２上面から第２底面の法線方向に身体に向けて押圧されることになる。したがって、孔部１１１と孔部１１２とを結ぶ軸の近傍に存在する光源１４、第１受光部１５、孔部１２１と孔部１２２とを結ぶ軸の近傍に存在する第２受光部１６が、身体に密着する。
【００３８】
血流量測定装置１０を取り付けたバンドホルダー２００及びバンド３００を使用することで、利用者が指などで血流量測定装置１０を押さえることなく、身体に血流量測定装置１０を取り付けることができる。
【００３９】
バンドホルダー２００とバンド３００を使用する代わりに、バンド３００に直接、血流量測定装置１０の各孔部に嵌まる爪部を取り付け、当該各爪部を各孔部にはめた後に、利用者の身体に当該バンド３００を巻き付けて固定することで、身体に血流量測定装置１０を取り付けてもよい。
【００４０】
なお、バンド３００、あるいは、バンドホルダー２００を血流量測定装置１０に取り付けるためには、孔部１１１、１１２、１２１、１２２以外の構造を用いてもよい。例えば、血流量測定装置１０の第１底面３０と第１上面２０との間の右側面４１及び左側面４３、第２底面３５と第２上面２５との間の右側面４４及び左側面４６に、バンドホルダー２００あるいはバンド３００等に設けた係止部が係合する凹部ないし段差があればよい。バンドホルダー２００あるいはバンド３００等に設けた係止部は、上記実施の形態で説明した爪部のような構造であってもよいし、孔部、凹部、段差等に係合する構造、嵌合する構造であれば、どのような構造でもよい。例えば、バンドホルダー２００に、孔部、凹部、段差等を設け、血流量測定装置１０の上記側面に、爪部あるいは凸部等を設け、バンドホルダー２００が血流量測定装置１０の上記側面の爪部あるいは凸部等と、係止、係合、あるいは嵌合するようにしてもよい。
【００４１】
（ハンディホルダー）
ここでは、利用者の指を固定するハンディホルダーによって、血流量測定装置１０を身体に密着させる例について説明する。
【００４２】
図１５は、ハンディホルダー４００の上方から見た斜視図を示す図である。ハンディホルダー４００は、本体部４１０、脚部４２１、４２２、４２３、２２４、爪部４３１、４３２、４３３、４３４、羽根部４４０、４５０を含む。ハンディホルダー４００は、例えば、プラスチックなどの樹脂製で弾性変形する。本体部４１０は、平面状の長方形である。図１５において本体部４１０の見える面を本体部４１０の上面４１１とする。各脚部は、本体部４１０の各角から本体部４１０のＹ軸方向外側に延伸し、１箇所以上折れ曲がった後にＺ軸方向に延伸する。ハンディホルダー４００は、４つの脚部より、支持される。また、各脚部の端からＹ軸方向内側に向けてそれぞれ爪部が突出する。各爪部の位置は、血流量測定装置１０の各孔部の位置に対応する。ハンディホルダー４００の各爪部は、上記のバンドホルダー２００と同様に、血流量測定装置１０の各孔部に嵌められる。ハンディホルダー４００の脚部４２１、４２２、４２３、４２４、及び、爪部４３１、４３２、４３３、４３４は、バンドホルダー２００の脚部２２１、２２２、２２３、２２４、及び、爪部２３１、２３２、２３３、２３４と同様である。
【００４３】
羽根部４４０、羽根部４５０は、本体部４１０の上面４１１に配置される。羽根部４４０、４５０は、それぞれ、面状である。羽根部４４０と羽根部４５０とは、同様の形状をしている。羽根部４４０は、底辺４４１、右側辺４４２、上辺４４３、左側辺４４４を有する。底辺４４１は、本体部４１０の上面４１１の中央付近においてＸ軸にほぼ平行に配置される辺である。右側辺４４２は、脚部２２１、２２３から脚部２２２、２２４の方向を見たときに、羽根部４４０の右側となる辺である。また、左側辺４４４は、脚部２２１
、２２３から脚部２２２、２２４の方向を見たときに、羽根部４４０の左側となる辺である。上辺４４３は、羽根部４４０において底辺４４１に対向する辺である。羽根部４４０は、本体部４１０の上面４１１に直角に立ち上がり、底辺４４１から上辺４４３に向かって、本体部４１０の外側（図１５の手前）に湾曲している。また、羽根部４４０の幅は、底辺４４１から上辺４４３に向かって大きくなっている。羽根部４５０は、底辺４５１、右側辺４５２、上辺４５３、左側辺４５４を有する。底辺４５１は、本体部４１０の上面４１１の中央付近においてＸ軸にほぼ平行に配置される辺である。右側辺４５２は、脚部２２１、２２３から脚部２２２、２２４の方向を見たときに、羽根部４５０の右側となる辺である。また、左側辺４５４は、脚部２２１、２２３から脚部２２２、２２４の方向を見たときに、羽根部４５０の左側となる辺である。上辺４５３は、羽根部４５０において底辺４５１に対向する辺である。羽根部４５０は、本体部４１０の上面４１１に直角に立ち上がり、底辺４５１から上辺４５３に向かって、本体部４１０の外側（図１５の奥）に湾曲している。また、羽根部４５０の幅は、底辺４４１から上辺４４３に向かって大きくなっている。
【００４４】
利用者は、ハンディホルダー４００を使用する際、利用者の隣り合う２本の指（例えば、人差し指と中指）を、本体部４１０の上面４１１上で、それぞれ、羽根部４４０の底辺４４１の外側と、羽根部４５０の底辺４５１の外側にほぼ平行に置く。このとき、隣り合う２本の指は、Ｘ軸にほぼ平行になる。隣り合う２本の指のうち一方の指が羽根部４４０の上辺４４３の近傍と本体部４１０とに挟まれ、他方の指が羽根部４５０の上辺４５３の近傍と本体部４１０とに挟まれるようにすることで、利用者はハンディホルダー４００を安定して保持することができる。
【００４５】
また、ハンディホルダー４００を使用する際、利用者の隣り合う２本の指を、本体部４１０の上面４１１上で、それぞれ、羽根部４４０の右側辺４４２の脇及び羽根部４５０の右側辺４５２の脇と、羽根部４４０の左側辺４４４の脇及び羽根部４５０の左側辺４５４の脇とに置いてもよい。このとき、隣り合う２本の指は、Ｙ軸にほぼ平行になる。このとき、利用者は、隣り合う２本の指で、羽根部４４０、４５０を挟むことで、ハンディホルダー４００を安定して保持することができる。羽根部４４０、４５０を使用することで、血流量測定装置１０を身体に固定する位置に応じて、ハンディホルダー４００を保持する指の位置を保持しやすい位置に変えることができる。
【００４６】
（実施形態の作用、効果）
血流量測定装置１０は、第１本体部１０１と、第２本体部１０２と、第１本体部１０１と第２本体部１０２とを接続するヒンジ１３０を含む。第１本体部１０１は、ヒンジ１３０により、第２本体部１０２に対して回動する。血流量測定装置１０では、第１底面３０及び第２底面３５の境界線と第２受光部１６の中心との距離Ａ３と、光源１４の中心及び第１受光部１５の中心を結ぶ線分の中点と第１底面と第２底面との境界線との距離（（Ａ１−Ａ２）／２）とを、等しくしている。これにより、利用者等が、血流量測定装置１０を、第１上面２０、第２上面２５から、各底面の法線方向に押圧した場合に、光源１４、第１受光部１５、第２受光部１６が身体に密着し易くなる。
【００４７】
血流量測定装置１０を取り付けたバンドホルダー２００及びバンド３００を身体に巻き付けることで、利用者が指などで血流量測定装置１０を押さえることなく、身体に血流量測定装置１０を取り付けることができる。
【００４８】
血流量測定装置１０を取り付けたハンディホルダー４００を用いることで、より安定して血流量測定装置１０を身体に固定することができる。
【００４９】
上記の構成は、可能な限りこれらを組み合わせて実施され得る。
【００５０】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００５１】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００５２】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００５３】
また、コンピュータ等に固定された記録媒体としてハードディスクやＲＯＭ等がある。
【符号の説明】
【００５４】
１０      ：血流量測定装置
１１      ：制御部
１３      ：無線通信部
１４      ：光源
１５      ：第１受光部
１６      ：第２受光部
２０      ：第１上面
２５      ：第２上面
３０      ：第１底面
３５      ：第２底面
４１      ：第１筐体の右側面
４２      ：第１筐体の上側面
４３      ：第１筐体の左側面
４４      ：第２筐体の右側面
４５      ：第２筐体の下側面
４６      ：第２筐体の左側面
１０１    ：第１本体部
１０２    ：第２本体部
１１０    ：第１筐体
１１１    ：孔部
１１２    ：孔部
１２０    ：第２筐体
１２１    ：孔部
１２２    ：孔部
１３０    ：ヒンジ
１４０    ：基板
１５０    ：電池
１６０    ：カバー部
２００  ：バンドホルダー
２１０  ：本体部
２２１  ：脚部
２２２  ：脚部
２２３  ：脚部
２２４  ：脚部
２３１  ：爪部
２３２  ：爪部
２３３  ：爪部
２３４  ：爪部
３００  ：バンド
４００  ：ハンディホルダー
４１０  ：本体部
４１１  ：上面
４２１  ：脚部
４２２  ：脚部
４２３  ：脚部
４２４  ：脚部
４３１  ：爪部
４３２  ：爪部
４３３  ：爪部
４３４  ：爪部
【図１】
2020054649.tif 000003
【図２】
2020054649.tif 000004
【図３】
2020054649.tif 000005
【図４】
2020054649.tif 000006
【図５】
2020054649.tif 000007
【図６】
2020054649.tif 000008
【図７】
2020054649.tif 000009
【図８】
2020054649.tif 000010
【図９】
2020054649.tif 000011
【図１０】
2020054649.tif 000012
【図１１】
2020054649.tif 000013
【図１２】
2020054649.tif 000014
【図１３】
2020054649.tif 000015
【図１４】
2020054649.tif 000016
【図１５】
2020054649.tif 000017